(57)【要約】      （修正有）【課題】待機中にもビデオカメラを把持している必要のある時に、撮影者の疲労を軽減する把持姿勢にすることができるビデオカメラを提供する。【解決手段】撮像機器本体部１０の底部に配置された第１のショルダー部１１と第２のショルダー部２０を有しており、第１のショルダー部１１と第２のショルダー部２０は光軸に沿って前後に並んでおり、第１のショルダー部１１は、撮像機器本体部１０と固定され、第２のショルダー部２０は、第１のショルダー部１１に近接した第１の位置と第１のショルダー部１１の前方でかつ下方の第２の位置に移動可能である。【選択図】図１２
2018105947.tif 000002
【特許請求の範囲】
【請求項１】
撮像機器において、
撮像機器本体の底部に配置された第一の肩当て部と第二の肩当て部を有しており、
第一の肩当て部と第二の肩当て部は光軸に沿って前後に並んでおり、
第一の肩当て部は撮像機器本体と固定され、第二の肩当て部は第一の肩当て部に近接した第一の位置と第一の肩当て部と前方でかつ下方に移動可能である事を特徴としているビデオカメラ。
【請求項２】
請求項１に記載の撮像機器において、
第二の肩当て部は第一の位置において本体に対し第一の係止手段を備え、また第二の位置において第二の係止手段を有しており、
撮影者が第二の肩当て部を撮影者の肩に乗せた際に、撮像機器の荷重によっては第二の肩当て部は第一の係止手段から外れ、移動可能となり、
第二の位置に移動した際に、撮像機器の自重によって第二の係止手段により固定される事を特徴としたビデオカメラ。
【発明の詳細な説明】
【技術分野】
【０００１】
本発明は待機中にもカメラを把持している必要のある時に撮影者の疲労を軽減する把持姿勢にすることができるカメラの構造に関するものである
【背景技術】
【０００２】
従来のビデオカメラにはカメラマンの疲労低減を目的としてカメラ底面の肩当てパッドが前後に移動可能として、さらに肩当てパッド固定の為に肩当てパッドの前後にくさび状の可動片を備えたビデオカメラが提案されている。
【先行技術文献】
【特許文献】
【０００３】
【特許文献１】特開平１１−２８４８９２号公報
【発明の概要】
【発明が解決しようとする課題】
【０００４】
例えば報道カメラマンは待機中でも、すぐに撮影が開始できるように準備している必要がある。この為、カメラを保持し続ける必要があるが、上記従来例では撮影待機中の保持姿勢は考慮されていない。そのためカメラマンは待機中に腕がつかれてしまうという問題があった。
【課題を解決するための手段】
【０００５】
本発明による撮像機器は、
撮像機器本体の底部に配置された第一の肩当て部と第二の肩当て部を有しており、
第一の肩当て部と第二の肩当て部は光軸に沿って前後に並んでおり、
第一の肩当て部は撮像機器本体と固定され、第二の肩当て部は第一の肩当て部に近接した第一の位置と第一の肩当て部と前方でかつ下方に移動可能である事を第一の特徴としている。
【０００６】
また、本発明の他の特徴とするところは、
第二の肩当て部は第一の位置において本体に対し第一の係止手段を備え、また第二の位置において第二の係止手段を有しており、
撮影者が第二の肩当て部を撮影者の肩に乗せた際に、撮像機器の荷重によっては第二の肩当て部は第一の係止手段から外れ、移動可能となり、
第二の位置に移動した際に、撮像機器の自重によって第二の係止手段により固定される事を第二の特徴とする。
【発明の効果】
【０００７】
本発明によれば、カメラマンが待機時において、楽な姿勢でカメラを保持することが可能となり、利便性が向上する。
【図面の簡単な説明】
【０００８】
【図１】ビデオカメラの側面図。
【図２】ビデオカメラの底面斜視図。
【図３】ショルダー部の分解斜視図。
【図４】ビデオカメラの底面斜視図。
【図５】ビデオカメラの分解図。
【図６】ビデオカメラの撮影状態を示す図。
【図７】ビデオカメラの撮影状態を示す図。
【図８】ビデオカメラのショルダー部を示す図。
【図９】ビデオカメラのショルダー部を示す図。
【図１０】ビデオカメラのショルダー部を示す図。
【図１１】ビデオカメラのショルダー部を示す図。
【図１２】カメラマンの待機状態を示す図。
【発明を実施するための形態】
【０００９】
＜第１の実施形態＞
以下、本発明に掛かる撮像機器の好ましい形態について詳述する。説明においては、撮影者から見て左側をＸ軸プラス方向もしくはＬ側、右側をＸ軸マイナス方向もしくはＲ側とする、上方をＹ軸プラス方向もしくは上面側、下方をＹ軸マイナス方向もしくは底面側、被写体に近づく方向をＺ軸プラス方向もしくは前方側、Ｚ軸マイナス方向は背面側とする。また、撮像機器の底面は水平面となっている。なお、本発明の関係する部分を中心に説明を行い、発明と直接関連しない部分は省略している。
【００１０】
≪外観説明≫
図１はビデオカメラの側面図である。図２はビデオカメラの底面斜視図である。ビデオカメラ１（以下カメラ１）は本体部１０の前方側にレンズ部１２を備えている。本体部１０の前端部から腕部１０１が前方に延出しており、腕部１０１の前端にはグリップ部１０２が延設されている。
【００１１】
本体部１０の底面側には第一のショルダー部１１と第二のショルダー部２０が連設されている。第二のショルダー部２０が本体部１０の前端部近傍から、中央部手前まで延びており、第二のショルダー部２０の後端から連なり第一のショルダー部１１が本体部１０の後端近傍まで延びている。第一のショルダー部１１は本体部１０に固定されており、第二のショルダー部２０は本体部１０に対し移動が可能である。
【００１２】
≪第二のショルダー部２０の構造説明≫
図３に第二のショルダー部２０の分解斜視図を示す。パッド筺体２０１は上面とＲ側の側面が開口された箱形状であり、底面部は底平面部２０３と円弧部２０４で構成され、底平面部２０３が前側に配置されている。底平面部２０３から略垂直に前面部２０２が形成され、Ｌ側側面には側面部２０５が形成され、円弧部２０４の後端から、垂直に後方部２０６が形成されている。また、円弧部２０４の表面には弾性部材が備えられている。
【００１３】
円弧部２０４の内面からは支柱２１０、支柱２１１、支柱２１２、支柱２１３が垂直に形成され、各々、軸穴２１０ａ，軸穴２１１ａ，軸穴２１２ａ，軸穴２１３ａがＸ軸方向に形成されている。軸穴２１０ａと軸穴２１１ａは同心かつ、同径で並び、その前方に軸穴２１２ａと軸穴２１３ａが同心かつ同径で並んでいる。側面部２０５の内壁部には丸形状の凹部２０５ａと凹部２０５ｂが形成されている。側面部２０５の上面にはネジ穴２０５ｃとネジ穴２０５ｄが形成されている。凹部２０５ａは前記軸穴２１０ａ及び軸穴２１１ａと同心、かつ同径に形成されている。
【００１４】
凹部２０５ｂは前記軸穴２１２ａ及び軸穴２１３ａと同心、かつ同径に形成されている。第二のショルダー部２０のＲ側側面にはパッド側面部材３０１を備える。パッド側面部材３０１と側面部２０５の外形形状は略同一である。パッド側面部材３０１の内面には凹部３０１ａと凹部３０１ｂが形成されている。凹部３０１ａ は軸穴２１０ａ及び軸穴２１１ａと同心、かつ同径に形成されている。凹部３０１ｂは軸穴２１２ａ及び軸穴２１３ａと同心、かつ同径に形成されている。パッド側面部材３０１の上面にはネジ穴３０１eとネジ穴３０１ｆが形成される。
【００１５】
パッド側面部材３０１はネジ４０１、ネジ４０２、ネジ４０３がネジ穴３０３ａ，ネジ穴３０３ｂ，ネジ穴３０３ｃを挿通しグリップ部１０２に螺合される。レール板５０とレール板６０はＹＺ平面に平行に向かい合った面５０２と面６０２を有した薄板形状の部品である。面５０２には略円弧状の円弧穴５０３ａを備えており、前側の端部が低い位置にあるように形成されている。円弧穴５０３ａの前側端部は前方かつ上方に屈曲した端部５０３ｃを形成している。
【００１６】
円弧穴５０３ａの後方端部は下方に屈曲した端部５０３ｂを形成している。面５０２と面６０２と同形状である。円弧穴５０３ａ，端部５０３ｃ，端部５０３ｂ，ネジ穴５０４ａ，ネジ穴５０４ｂに対応するのは円弧穴６０３ａ，端部６０３ｃ、端部６０３ｂ、ネジ穴６０４ａ，ネジ穴６０４ｂである。レール板５０とレール板６０は各々、上方にはＸＺ平面と平行に面５０１と面６０１が形成されている。面５０１にはネジ穴５０１ａ ，ネジ穴５０１ｂ，ネジ穴５０１ｃが形成されている。面６０１にはネジ穴６０１ａ，ネジ穴６０１ｂ，ネジ穴６０１ｃが形成されている。
【００１７】
固定板９０が矩形状の平板部材である。前記ネジ穴５０１ａ ，ネジ穴５０１ｂ，ネジ穴５０１ｃ、ネジ穴６０１ａ，ネジ穴６０１ｂ，ネジ穴６０１ｃはネジ４０４、ネジ４０５、ネジ４０６、ネジ４０７、ネジ４０８、ネジ４０９によって固定板９０の下面に固定される。この時、円弧穴５０３ａ，端部５０３ｃ，端部５０３ｂと円弧穴６０３ａ，端部６０３ｃ、端部６０３ｂはＸ軸方向から見て、同位置に配置される。
【００１８】
板バネ部材７０は金属薄板を曲げ加工した部品であり、後方に円弧状の付勢部７４を備えている。ＸＹ平面に略Ｔ字状の面７０１を持ち、Ｔ字の両端から固定面７０２と固定面７０３がＹＺ平面と平行に形成されている。固定面７０２には穴７０２ａと穴７０２ｂが形成され、ネジ４１０とネジ４１１によりレール板５０の前方に並んでいるネジ穴５０４ａとネジ穴５０４ｂに螺合される。固定面７０３には穴７０３ａと穴７０３ｂが形成され、ネジ４１２とネジ４１３によりレール板６０の前方に並んでいるネジ穴６０４ａ、ネジ穴６０４ｂに螺合される。
【００１９】
板バネ部材８０１は略U字状に曲げた板バネであり、前方に弾性を発生させる曲げ部有し、上面側の後ろ端に穴８０２と穴８０３を設け、ネジ４１４、ネジ４１５によって、固定板９０のネジ穴９０２とネジ穴９０１に螺合される。軸４０と軸４１はどちらも剛体の円柱である。軸４０は前記軸穴２１０ａと軸穴２１１ａに軸支される。軸４１は軸穴２１２ａと軸穴２１３ａに軸支される。軸４０の両端は前記凹部２０５ａと凹部３０１ａに係合する。軸４１の両端は凹部２０５ｂと凹部３０１ｂに係合される。
【００２０】
また、固定板９０はネジ４１６、ネジ４１７、ネジ４１８、ネジ４１９が固定板９０に形成された穴９０３、穴９０４、穴９０５、穴９０６を挿通し、前記ネジ穴３０１e、穴３０１ｆ、ネジ穴２０５ｃ、ネジ穴２０５ｄに螺合することで固定される。この時、軸４０と軸４１はともに円弧穴５０３ａ、円弧穴６０３ａを挿通している。図４はカメラ１の底面斜視図である。図５は分解図である。図４,図５に示すように第二のショルダー部２０の固定板９０は本体部１０の底面で第一のショルダー部１１の前方に図示しないネジにて固定される。
【００２１】
≪可動部の説明≫
図６、図７に撮影時のカメラ１と撮影者の状況を示す。撮影者は第一のショルダー部１１を肩２に載せてグリップ部１０２を手３で把持して撮影を行う。図８、図９、図１０、図１１を用い第二のショルダー部２０の可動時の動きを説明する。機構の説明に必要な部材を抜き出して示しているため、説明に不要な部分は消している。図６の状態は図８に示される。軸４１は円弧穴５０３ａに遊嵌されている。軸４０は円弧穴５０３ａにはめこまれている。
【００２２】
この時軸４０は板バネ部材８０１に上から付勢されている。図１２は撮影が終了し、撮影者が待機している状態である。図６の状態ではレンズの重量を手３で支える為つかれてしまう。このため、撮影者は図１２のようにカメラ１のレンズを上方向に向けて手３に重量がかからない位置で休憩する。
【００２３】
図６の状態から図１２に至る状態を説明する。撮影者は第二のショルダー部２０の下面にR状に形成されている円弧部２０４を肩２に乗せる。図９はその際の図である。カメラ１の重量が第二のショルダー部２０に掛かる為、板バネ部材８０１が変形し軸４０は上方向に移動する、すると軸４０は端部５０３ｂから外れ、軸４０と軸４１は円弧穴５０３ａに沿って前後に移動可能となる。
【００２４】
図１０はさらにカメラ１を上方向に向けていった状態を示す。軸４１は円弧穴５０３ａの前方端面に当接する。この時、板バネ部材７０のすると図１１に示すように軸４１はカメラ１の自重と板バネ部材７０の付勢部７４による付勢力によってＡ方向に回転し端部５０３ｃにはまり込む。
【００２５】
上記構造とすることで、図１２に示すように、撮影者は手３に負担がかからない状態にしつつ、肩２にもしっかりと第二のショルダー部２０を載置することができるために疲れにくい。また撮影状態に移行する場合は、図７、図１１に示すように、肩の第一のショルダー部１１を置き、第二のショルダー部２０をＢ方向に動かすことで軸４１の係止が外れ、図８の状態まで移動が可能となる。
【００２６】
以上本発明をその好適な実施形態において詳述してきたが、本発明はこれら特定の実施形態に限られるものではない。この発明の趣旨を逸脱しない範囲のさまざまな形態も本発明に含まれる。
【符号の説明】
【００２７】
１ ・・・・ カメラ
２ ・・・・ 肩
３ ・・・・ 手
１０ ・・・・ 本体部
１１ ・・・・ 第一のショルダー部
１２ ・・・・ レンズ部
２０ ・・・・ 第二のショルダー部
４０ ・・・・ 軸
４１ ・・・・ 軸
５０ ・・・・ レール板
６０ ・・・・ レール板
７０ ・・・・ 板バネ部材
７４ ・・・・ 付勢部
９０ ・・・・ 固定板
１０１ ・・・・ 腕部
１０２ ・・・・ グリップ部
２０１ ・・・・ パッド筺体
２０２ ・・・・ 前面部
２０３ ・・・・ 底平面部
２０４ ・・・・ 円弧部
２０５ ・・・・ 側面部
２０６ ・・・・ 後方部
２１０ ・・・・ 支柱
２１０ａ ・・・・ 軸穴
２１１ ・・・・ 支柱
２１１ａ ・・・・ 軸穴
２１２ ・・・・ 支柱
２１２ａ ・・・・ 軸穴
２１３ ・・・・ 支柱
２１３ａ ・・・・ 軸穴
３０１ ・・・・ パッド側面部材
５０３ａ ・・・・ 円弧穴
５０３ｂ ・・・・ 端部
５０３ｃ ・・・・ 端部
６０３ａ ・・・・ 円弧穴
６０３ｂ ・・・・ 端部
６０３ｃ ・・・・ 端部
７０２ ・・・・ 固定面
７０３ ・・・・ 固定面
８０１ ・・・・ 板バネ部材
８０２ ・・・・ 穴
８０３ ・・・・ 穴
【図１】
2018105947.tif 000003
【図２】
2018105947.tif 000004
【図３】
2018105947.tif 000005
【図４】
2018105947.tif 000006
【図５】
2018105947.tif 000007
【図６】
2018105947.tif 000008
【図７】
2018105947.tif 000009
【図８】
2018105947.tif 000010
【図９】
2018105947.tif 000011
【図１０】
2018105947.tif 000012
【図１１】
2018105947.tif 000013
【図１２】
2018105947.tif 000014